(57)【特許請求の範囲】
【請求項１】
ベースフィルムの片面に、アンテナと、前記アンテナに接続するＩＣチップと、前記アンテナ及び前記ＩＣチップを覆う表面層とを有し、前記ベースフィルムの他面に粘着剤層を介して剥離紙を有するＩＣタグラベルであって、
前記アンテナ及び前記ＩＣチップを備えたラベル本体と、前記ラベル本体の外周部に備えられた外周ラベルとにより構成され、
前記外周ラベルは、少なくとも１つの角部を挟んで２ヶ所に設けられた切り込み、又は、少なくとも１つの角部に配置された欠落部を有し、
前記切り込み又は前記欠落部は、前記ＩＣチップとは離れて設けられることを特徴とするＩＣタグラベル。
【請求項２】
ベースフィルムの片面に、アンテナと、前記アンテナに接続するＩＣチップと、前記アンテナ及び前記ＩＣチップを覆う表面層とを有し、前記ベースフィルムの他面に粘着剤層を介して剥離紙を有するＩＣタグラベルであって、
前記アンテナ及び前記ＩＣチップを備えたラベル本体と、前記ラベル本体の外周部に備えられた外周ラベルとにより構成され、
前記ラベル本体の隅部に欠落部を有し、
前記欠落部は、前記ＩＣチップとは離れてなおかつ対角の位置に設けられることを特徴とするＩＣタグラベル。
【発明の詳細な説明】
【技術分野】
【０００１】
本発明は、非接触で読み書きが可能なＩＣタグラベルに関し、剥離紙からの剥離が容易なＩＣタグラベルに関するものである。
【背景技術】
【０００２】
ＩＣタグラベルは、情報を記録して保持し非接触で外部装置と交信して情報交換できるので、近年運送や物流等における認識媒体として、あるいは商品の品質管理、在庫管理、図書室の書籍管理等の各種目的に多用されるようになってきている。
【０００３】
この非接触ＩＣタグラベルは、フィルムや紙基材からなるベースフィルム面にコイル状アンテナやダイポール型アンテナを形成し、当該アンテナにＩＣチップを装着した形態となっている。また、表側にプリンタ等に適した印字適性を有する用紙を用いることにより、表側に文字、記号、絵柄等を印刷して使用される。（特許文献１）
【０００４】
ＩＣタグラベル表面を印刷して使用する際、ラベル縁部まで印刷を行うと印刷インクがラベル以外の部分にはみ出してしまう等の不都合が生じることがあるため、対象物に貼着するラベル本体の周囲を囲むようにアンテナやＩＣチップを装着しないラベル部を設け、インクのはみ出し等に対応する方法が行われている。
【０００５】
【特許文献１】特開平１１−１３４４６０
【発明の開示】
【発明が解決しようとする課題】
【０００６】
しかしながらこの方法では、対象物にラベルを貼付するため剥離紙からラベル本体を剥がそうとすると、周囲に設けたラベル部が一緒に剥がれ、目的のラベル本体だけを取り出す作業が煩雑である。
【０００７】
そこで本発明者らは、以上のような問題点に鑑み鋭意検討の結果、外周に設けたラベル又はラベル本体に、切り込み又は欠落部を設けることにより、剥離開始部を備えることができ、外周にラベルを備えたＩＣタグラベルであっても、剥離紙から容易にラベル本体を剥離できることを見出し、本発明に至った。
すなわち本発明の目的は、貼り付け作業が簡単なＩＣタグラベルを提供することにある。
【課題を解決するための手段】
【０００８】
第１の発明は、ベースフィルムの片面に、アンテナと、前記アンテナに接続するＩＣチップと、前記アンテナ及び前記ＩＣチップを覆う表面層とを有し、前記ベースフィルムの他面に粘着剤層を介して剥離紙を有するＩＣタグラベルであって、前記アンテナ及び前記ＩＣチップを備えたラベル本体と、前記ラベル本体の外周部に備えられた外周ラベルとにより構成され、前記外周ラベルは、少なくとも１つの角部を挟んで２ヶ所に設けられた切り込み、又は、少なくとも１つの角部に配置された欠落部を有し、前記切り込み又は前記欠落部は、前記ＩＣチップとは離れて設けられることを特徴とするＩＣタグラベルである。
第２の発明は、ベースフィルムの片面に、アンテナと、前記アンテナに接続するＩＣチップと、前記アンテナ及び前記ＩＣチップを覆う表面層とを有し、前記ベースフィルムの他面に粘着剤層を介して剥離紙を有するＩＣタグラベルであって、前記アンテナ及び前記ＩＣチップを備えたラベル本体と、前記ラベル本体の外周部に備えられた外周ラベルとにより構成され、前記ラベル本体の隅部に欠落部を有し、前記欠落部は、前記ＩＣチップとは離れてなおかつ対角の位置に設けられることを特徴とするＩＣタグラベルである。
【発明の効果】
【０００９】
本発明は、貼り付け作業が簡単なＩＣタグラベルを提供することができる。本発明によれば、ＩＣチップや印刷部を触ることなく、簡単に剥離紙からラベルを剥がすことが可能である。また複数のＩＣタグラベルに規則的な剥離開始部が提供されるため、ラベルに方向が生まれ、ラベルの貼り付けにおける作業の画一化が図れ、作業効率がよい。
【発明を実施するための最良の形態】
【００１０】
以下、本発明の実施形態を図面を参照しながら詳細に説明する。
図１は、本発明の第１の実施形態に係るＩＣタグラベルの説明平面図、図２は、第１の実施形態に係るＩＣタグラベルの説明断面図である。
【００１１】
本発明のＩＣタグラベル１は、対象物に貼付される、アンテナ及びＩＣチップを備えたラベル本体３と、ラベル本体３の周囲を囲むように設けられた、印刷時のはみ出し等に対応する外周ラベル５とを有し、外周ラベル５の一部に切り込み９を有する。ラベル本体３と外周ラベル５とは、まず一体に形成し、境界部をハーフカット加工することによりラベル本体３の周囲を囲んだ外周ラベル５が形成される。
【００１２】
ラベル本体３の形状は特に限定するものではないが、略四角形のものが好適に使用される。
【００１３】
外周ラベル５は、ラベル本体３の周囲を囲んで形成された枠状である。外周ラベル５は、隅部に切り込み９を有する。
【００１４】
切り込み９は、外周ラベル５の外縁からラベル本体３との境界線まで、外周ラベル５の幅方向を横切って設ける。切り込み９の配置箇所は、特に限定するものではないが、外周ラベル５の少なくとも１つの角部に配置される。切り込み９は、外周ラベル５の角を挟んで２カ所に設けることが好ましく、ラベル本体３の角から５〜１０ｍｍ程度の位置に設けることが好ましい。
【００１５】
切り込み９は、ラベル本体３に設けられたＩＣチップの破損を避けるため、ＩＣチップとは離れて設けられる。図１に示すように切り込み９を設ける場合は、図１中の点線で囲んだ範囲１１にＩＣチップが配置される。ＩＣチップと切り込み９とを近くに設けると、後で説明するラベル本体３の貼付時に、切り込み９付近を曲げると、ＩＣチップに力が加わり、破損する可能性がある。
【００１６】
次に、図２に示したＩＣタグラベル１の断面構成について説明する。
本願発明で用いるＩＣタグラベル１は、通常の非接触型ＩＣタグラベルの断面構成が好適に使用できる。
【００１７】
ＩＣタグラベル１は、ベースフィルム１３上に、アンテナとしてアンテナコイル１５を配設し、アンテナコイル１５の両端部にＩＣチップ１７を装着している。
ベースフィルム１３のアンテナコイル１５配設面には、表面層１９が接着剤層２１により接着され、ベースフィルム１３のアンテナコイル１５配設面と反対の面には、粘着剤層２３と粘着剤層２３を被覆して保護する剥離紙２５が積層されている。
【００１８】
ベースフィルム１３は、樹脂フィルムや紙基材を用いることができる。樹脂フィルムとしては、ポリエチレンテレフタレート、テレフタル酸−シクロヘキサンジメタノール−エチレングリコール共重合体、ポリプロピレン、ポリエチレン、ポリカーボネート、ポリアミド、ポリフェニレンサルファイド、ポリ塩化ビニル、塩化ビニル−酢酸ビニル共重合体、セルロースジアセテート、セルローストリアセテート、ポリスチレン系、アクリロニトリルーブタジエンースチレン共重合体、ポリアクリル酸エステル、ポリウレタンなどの素材が使用される。また、紙基材としては、上質紙、コート紙、クラフト紙、グラシン紙、合成紙、ラテックスやメラミン含浸紙などが使用できる。
【００１９】
アンテナコイル１５は、ベースフィルム１３上にパターン形成されたアルミニウムや銅などの金属の膜からなる平面コイル状のアンテナであり、電磁波を送受信可能である。アンテナコイル１５では、コイル状のアンテナとしたが、ダイポール型のアンテナを用いてもよい。
【００２０】
ＩＣチップ１７は、非接触通信機能、処理機能、記憶機能及び入出力機能を備えるものである。
【００２１】
接着剤層２１は、天然ゴム系、ニトリルゴム系、エポキシ樹脂系、酢酸ビニルエマルジョン系、アクリル系、アクリル酸エステル共重合体系、ポリビニルアルコール系、フェノール樹脂系、等の各種材料を使用できる。なお、前記接着剤は、溶剤型やエマルジョン型、紫外線硬化型、重合型、熱溶融型等の各種のものをいい、いわゆる粘着剤型のものをも含むものとする。双方の材料間を接着すれば目的を達成できるからである。液状ならずシート状のものであってもよい。
【００２２】
表面層１９は、プリンタに適した印刷適性を有する樹脂フィルムや紙基材が使用可能である。樹脂フィルムとしては、ポリエチレンテレフタレート、テレフタル酸−シクロヘキサンジメタノール−エチレングリコール共重合体、ポリプロピレン、ポリエチレン、ポリカーボネート、ポリアミド、ポリフェニレンサルファイド、ポリ塩化ビニル、塩化ビニル−酢酸ビニル共重合体、セルロースジアセテート、セルローストリアセテート、ポリスチレン系、アクリロニトリルーブタジエンースチレン共重合体、ポリアクリル酸エステル、ポリウレタンなどの素材が使用される。また、紙基材としては、上質紙、コート紙、クラフト紙、グラシン紙、合成紙、ラテックスやメラミン含浸紙などが使用できる。
【００２３】
粘着剤層２３は、アクリル酸エステル共重合体系、天然ゴム、ニトリルゴム、シリコーン粘着剤、ポリ塩化ビニル等の各種材料およびそれらの水性エマルジョンを使用する。
【００２４】
剥離紙７は、特に限定されるものではないが、上質紙やグラシン紙にクレーコーティングやポリエチレンラミネートを行った後、シリコンコーティングを行ったものや、ベースフィルム１３に用いられる樹脂フィルムの表面にシリコンコーティングを行ったものが用いられる。
【００２５】
次に、ＩＣタグラベル１の製造方法について説明する。
まずベースフィルム１３上に、アンテナコイル１５を配設する。アンテナコイル１５は、金属箔とベースフィルム１３をドライラミネート法によりラミネート後、印刷法によりレジストパターンを形成し、更にケミカルエッチングを行うことにより形成される。次に、アンテナコイル１５にＩＣチップ１７を装着する。
【００２６】
次に、接着剤層２１を有する表面層１９をベースフィルム１３上にアンテナコイル１５とＩＣチップ１７とを覆って貼り合わせ、同様に、粘着剤層２３を有する剥離紙７をベースフィルム１３のアンテナコイル形成面と反対側の面に貼り合わせる。
【００２７】
その後、ＩＣタグラベル１の形を形成するようにハーフカット加工を施す。外周ラベル５の輪郭及び切り込み９と一致する刃型を備えた加工機において、剥離紙７を残して、表面層１９から粘着剤層２３まで切断し、ハーフカット加工を行う。
【００２８】
ハーフカット加工を行った後、外周ラベル５の外側部分のラベルを剥がして、ＩＣタグラベル１が得られる。
【００２９】
ＩＣタグラベル１は、図３に示すように複数のＩＣタグラベルを含んだ帯状のＩＣタグラベルシート３１として形成すれば、ラベル面の印刷、貼り付け作業等において好適に使用可能である。ＩＣタグラベルシート３１は、帯状のベースフィルム１３上に、複数のアンテナコイル１５及びＩＣチップ１７を間隔をおいて配置し、接着剤層２１を有する帯状の表面層１９及び粘着剤層２３を有する帯状の剥離紙７（３３）をそれぞれ貼り合わせ、それぞれのＩＣタグラベル１に対する前記ハーフカット加工を順に又は一度に行うことにより得られる。
【００３０】
ハーフカット加工を行った後、外周ラベル５の外側のラベル部分を剥がしてカス上げを行い、外周ラベルの側方に剥離紙を表出させてＩＣタグラベルシート３１を得る。その後、表面層１９に印刷を行い、対象物へラベル本体３の貼付を行う。
ラベル本体３の貼付の際は、ＩＣタグラベル１の切り込み９側の端をやや曲げることにより、ラベル本体３のみが剥離紙７より浮き上がるので、この浮き上がり部を剥離開始部として剥離紙７から剥がして行う。
【００３１】
図３において、ＩＣタグラベルシート３１は、ＩＣタグラベル１を一列に配置したが、複数列配置してもよく、また、帯状のシートに限らず、Ａ４、Ａ３等のコピー用紙サイズのシートとしてもよい。
【００３２】
このように、第１の実施形態によれば、ＩＣタグラベル１の切り込み９側の端をやや曲げることにより、ラベル本体３のみが剥離紙７より浮き上がり、容易に剥離紙７から剥がすことができる。
【００３３】
次に、本発明の第２の実施形態について説明する。
図４は、本発明の第２の実施形態に係るＩＣタグラベルの説明図である。図４（ａ）は、平面図であり、図４（ｂ）は、図４（ａ）における点線で囲んだ部分の拡大図である。
【００３４】
第２の実施形態における構成要素で、第１の実施形態における構成要素と同一の部材には、同一の番号を付し、詳細な説明は省略する。また、第２の実施形態に係るＩＣタグラベルの断面構成は、第１の実施形態の説明図である図２と同様であるので、断面図は省略する。
【００３５】
本発明のＩＣタグラベル４１は、対象物に貼付される、アンテナ及びＩＣチップを備えたラベル本体３と、ラベル本体３の周囲を囲むように設けられた、印刷時のはみ出し等に対応する外周ラベル４５を有し、外周ラベル４５の一部に欠落部４９を有する。ラベル本体３と外周ラベル４５とは、まず一体に形成し、境界部をハーフカット加工することによりラベル本体３の周囲を囲んだ外周ラベル４５が形成される。
【００３６】
外周ラベル４５は、ラベル本体３の周囲を囲んで形成された枠状である。外周ラベル４５は、隅部に欠落部４９を有する。
【００３７】
欠落部４９を設けた外周ラベル４５は、図４（ｂ）に示すように角部は曲線に加工する。これにより、めくり上がりを防止する。
【００３８】
欠落部４９の配置箇所は、特に限定するものではないが、外周ラベル５の少なくとも１つの角部に配置される。
【００３９】
欠落部４９は、ラベル本体３に設けられたＩＣチップの破損を避けるため、ＩＣチップとは離れて設けられる。図４に示すように欠落部４９を設ける場合は、図４中の点線で囲んだ範囲１１にＩＣチップが配置される。ＩＣチップと欠落部４９とを近くに設けると、後で説明するラベル本体３の貼付時に、欠落部４９付近を曲げると、ＩＣチップに力が加わり、破損する可能性がある。
【００４０】
ＩＣタグラベル４１の製造は、ハーフカット加工において、ＩＣタグラベル４１の形を形成するように施す以外は、第１の実施形態と同様にして行われる。ハーフカット加工は、外周ラベル４５の輪郭及びラベル本体３の輪郭と一致する刃型を備えた加工機において、剥離紙７を残して、表面層１９から粘着剤層２３まで切断して行う。
【００４１】
また、ハーフカット加工において、ＩＣタグラベル４１の形を形成するように施す以外は、第１の実施形態と同様にして、図３に示すような複数のＩＣタグラベルを含んだ帯状のＩＣタグラベルシートとして形成することができる。
【００４２】
ラベル本体３の貼付の際は、ＩＣタグラベル１の欠落部４９側の端をやや曲げることにより、ラベル本体３のみが剥離紙７より浮き上がるので、この浮き上がり部を剥離開始部として剥離紙７から剥がして行う。
【００４３】
このように、第２の実施形態によれば、ＩＣタグラベル４１の欠落部４９側の端をやや曲げることにより、ラベル本体３のみが剥離紙７より浮き上がり、容易に剥離紙７から剥がすことができる。
【００４４】
次に、本発明の第３の実施形態について説明する。
図５は、本発明の第３の実施形態に係るＩＣタグラベルの説明平面図である。
第３の実施形態における構成要素で、第１の実施形態における構成要素と同一の部材は、同一の番号を付し、詳細な説明は省略する。また、第３の実施形態に係るＩＣタグラベルの断面構成は、第１の実施形態の説明図である図２と同様であるので、断面図は省略する。
【００４５】
本発明のＩＣタグラベル５１は、対象物に貼付される、アンテナ及びＩＣチップを備えたラベル本体５３と、ラベル本体５３の周囲を囲むように設けられた、印刷時のはみ出し等に対応する外周ラベル５５とを有し、ラベル本体５３の一部に欠落部５９を有する。ラベル本体５３と外周ラベル５５とは、まず一体に形成し、境界部をハーフカット加工することによりラベル本体５３の周囲を囲んだ外周ラベル５５が形成される。
【００４６】
ラベル本体５３の形状は特に限定するものではないが、略四角形のものが好適に使用される。ラベル本体５３は、隅部に欠落部５９を有する。
【００４７】
外周ラベル５５は、ラベル本体５３の周囲を囲んで形成された枠状である。
【００４８】
欠落部５９は、ラベル本体５３に設けられたＩＣチップの破損を避けるため、ＩＣチップとは離れて設けられる。図５に示すように欠落部５９を設ける場合は、図５中の点線で囲んだ範囲１１にＩＣチップが配置されることが望ましい。ＩＣチップと欠落部５９とは対角の位置に設けることが特に好ましい。
【００４９】
ＩＣタグラベル５１の製造は、ハーフカット加工において、ＩＣタグラベル５１の形を形成する以外は、第１の実施形態と同様にして行われ、最後に欠落部５９を剥がす工程が加えられる。ハーフカット加工は、外周ラベル５５の輪郭及びラベル本体５３の輪郭と一致する刃型を備えた加工機において、剥離紙７を残して、表面層１９から粘着剤層２３まで切断して行う。
【００５０】
また、ハーフカット加工において、ＩＣタグラベル５１の形を形成するように施す以外は、第１の実施形態と同様にして行い、欠落部５９を剥がす工程を加えることにより、図３に示すように複数のＩＣタグラベルを含んだ帯状のＩＣタグラベルシートとして形成することができる。
【００５１】
このように、第３の実施形態によれば、ＩＣタグラベル５１の欠落部５９側の端をやや曲げることにより、ラベル本体５３のみが剥離紙７より浮き上がり、容易に剥離紙７から剥がすことができる。
【００５２】
尚、本発明の技術的範囲は、前述した実施形態に限定されるものではなく、実施形態の種々の改変、変形等も本発明の技術的範囲に含まれる。
例えば、各実施形態における切り込みや欠落部は、記載した形状に限らず他の形状で設けてもよい。また各実施形態において、ＩＣタグラベルの断面構成は、図２に示すような一般的な構成であったが、目的により一部変形された構成のＩＣタグラベルについても同様に使用可能である。
【図面の簡単な説明】
【００５３】
【図１】第１の実施形態に係るＩＣタグラベルの説明平面図である。
【図２】第１の実施形態に係るＩＣタグラベルの説明断面図である。
【図３】第１の実施形態に係るＩＣタグラベルシートの説明図である。
【図４】第２の実施形態に係るＩＣタグラベルの説明平面図である。
【図５】第３の実施形態に係るＩＣタグラベルの説明平面図である。
【符号の説明】
【００５４】
１………ＩＣタグラベル
３………ラベル本体
５………外周ラベル
７………剥離紙
９………切り込み
１１………ＩＣチップ配置領域
１３………ベースフィルム
１５………アンテナコイル
１７………ＩＣチップ
１９………表面層
２１………接着剤層
２３………粘着剤層
３１………ＩＣタグラベルシート
３３………剥離紙
４１………ＩＣタグラベル
４５………外周ラベル
４９………欠落部
５１………ＩＣタグラベル
５３………ラベル本体
５５………外周ラベル
５９………欠落部
【図１】
0005141263.tif 000002
【図２】
0005141263.tif 000003
【図３】
0005141263.tif 000004
【図４】
0005141263.tif 000005
【図５】
0005141263.tif 000006